(57)【要約】【課題】本発明は、調整専用のスクリーンユニットを用いることなくスクリーン上の映像の歪み調整を行うことが可能で、かつマルチ画面を構成する際のスクリーンユニットの間隔調整が可能な、背面投射型映像表示装置および背面投射型映像表示装置の配置および投射位置の調整方法の提供を目的とする。【解決手段】本発明に係る背面投射型映像表示装置５は、スクリーン１の背面に映像を投射する背面投射型映像表示装置５であって、スクリーン１前面に対して貼り付けられ、剥がすことが可能な保護シート３を備え、保護シート３は、投射位置調整用パターン３ａを備え、保護シート３には、スクリーン１の縁の外側に来るように保護シート３の各辺に保持された隙間調整用部材４が設けられ、隙間調整用部材４の厚みは、複数の背面投射型映像表示装置５を隣接して配置した場合に、隣り合う背面投射型映像表示装置５の間隔を規定する。【選択図】図１
2016200681.tif 000002
【特許請求の範囲】
【請求項１】
スクリーンの背面に映像を投射する背面投射型映像表示装置であって、
前記スクリーン前面に対して貼り付けられ、剥がすことが可能な保護シートを備え、
前記保護シートは、投射位置調整用パターンを備え、
前記保護シートには、前記スクリーンの縁の外側に来るように当該保護シートの各辺に保持された隙間調整用部材が設けられ、
前記隙間調整用部材の厚みは、複数の前記背面投射型映像表示装置を隣接して配置した場合に、隣り合う前記背面投射型映像表示装置の間隔を規定する、
背面投射型映像表示装置。
【請求項２】
前記投射位置調整用パターンは、格子状のパターンを含む、
請求項１に記載の背面投射型映像表示装置。
【請求項３】
前記保護シートは透明なフィルムであり、
前記保護シートは前記スクリーンの四隅にあわせて当該スクリーンに貼り付けられる、
請求項１または請求項２に記載の背面投射型映像表示装置。
【請求項４】
前記保護シートは自己吸着性能を有する、
請求項１から請求項３のいずれか一項に記載の背面投射型映像表示装置。
【請求項５】
前記保護シートは伸縮性を有する、
請求項１から請求項４のいずれか一項に記載の背面投射型映像表示装置。
【請求項６】
スクリーンの背面に映像を投射する背面投射型映像表示装置であって、
前記スクリーン前面に対して貼り付けられ、剥がすことが可能な保護シートを備え、
前記保護シートは、投射位置調整用パターンを備える、
背面投射型映像表示装置。
【請求項７】
スクリーンの背面に映像を投射する背面投射型映像表示装置であって、
前記スクリーン前面に対して貼り付けられ、剥がすことが可能な保護シートを備え、
前記保護シートには、前記スクリーンの縁の外側に来るように当該保護シートの各辺に保持された隙間調整用部材が設けられ、
前記隙間調整用部材の厚みは、複数の前記背面投射型映像表示装置を隣接して配置した場合に、隣り合う前記背面投射型映像表示装置の間隔を規定する、
背面投射型映像表示装置。
【請求項８】
請求項１に記載の背面投射型映像表示装置の複数を配置して１つの画面を構成し、個々の前記背面投射型映像表示装置の投射位置を調整する背面投射型映像表示装置の配置および投射位置の調整方法であって、
（ａ）複数の前記背面投射型映像表示装置の前記スクリーン前面に対して前記保護シートを貼り付ける工程と、
（ｂ）複数の前記背面投射型映像表示装置のそれぞれにおいて、前記スクリーンにテストパターン映像を投射する工程と、
（ｃ）複数の前記背面投射型映像表示装置のそれぞれにおいて、前記投射位置調整用パターンと前記テストパターン映像とが合致するように、前記テストパターン映像の投射位置を調整する工程と、
（ｄ）複数の前記背面投射型映像表示装置の前記スクリーンを組み合わせて一つの画面を構成するように、複数の前記背面投射型映像表示装置を配置する工程と、
（ｅ）前記工程（ｃ）および前記工程（ｄ）の後、複数の前記背面投射型映像表示装置のそれぞれにおいて、前記スクリーンから前記保護シートをはがす工程と、
を備え、
前記工程（ｄ）において、隣り合う前記スクリーンの縁の間において、前記隙間調整用部材が互いに接するように、複数の前記背面投射型映像表示装置が配置される、
背面投射型映像表示装置の配置および投射位置の調整方法。
【請求項９】
前記投射位置調整用パターンは、格子状のパターンを含む、
請求項８に記載の背面投射型映像表示装置の配置および投射位置の調整方法。
【請求項１０】
前記保護シートは透明なフィルムであり、
前記工程（ａ）において、前記保護シートは前記スクリーンの四隅にあわせて当該スクリーンに貼り付けられる、
請求項８または請求項９に記載の背面投射型映像表示装置の配置および投射位置の調整方法。
【請求項１１】
前記保護シートは自己吸着性能を有する、
請求項８から請求項１０のいずれか一項に記載の背面投射型映像表示装置の配置および投射位置の調整方法。
【請求項１２】
前記保護シートは伸縮性を有する、
請求項８から請求項１１のいずれか一項に記載の背面投射型映像表示装置の配置および投射位置の調整方法。
【発明の詳細な説明】
【技術分野】
【０００１】
本発明は背面投射型映像表示装置および背面投射型映像表示装置の配置および投射位置の調整方法に関し、特に複数の背面投射型映像表示装置を組み合わせて１つの大画面を構成することが可能な背面投射型映像表示装置および背面投射型映像表示装置の配置および投射位置の調整方法に関する。
【背景技術】
【０００２】
近年、各種監視システム用途やショッピングモールのサイネージ用途などで大画面ディスプレーが注目されている。複数の背面投射型映像表示装置を上下左右に組み合わせて大画面を構成することが一般的となっている。
【０００３】
例えば、特許文献１にて開示されているような背面投射型映像表示装置の場合、投射ユニットからの映像をミラーで反射させてスクリーンに映し出す。この場合、投射ユニットの光軸のずれ、ミラーの小さな歪み等が原因となって、スクリーンに映し出される映像にズレや傾き、歪み等が発生してしまう。
【０００４】
そのため、背面投射型映像表示装置を設置する際に、スクリーンに映し出される映像のずれ、傾き、歪み等を取り除くために、電気的又は機構的な調整を行う必要がある。例えば、スクリーン上に中心位置及び歪み調整用の基準線が施された調整専用のスクリーンユニットを取り付けて、映像の歪みを調整する方法が知られている。
【先行技術文献】
【特許文献】
【０００５】
【特許文献１】特開２００５−３５２２９３号公報
【発明の概要】
【発明が解決しようとする課題】
【０００６】
従来における背面投射型映像表示装置の画面歪み調整では、調整専用のスクリーンユニットを用いて調整を行っていたため、この調整専用のスクリーンユニットを製品本体に装着してから調整を行う必要があった。そのため、作業的にも煩雑となり、製造効率が低下するという問題点があった。
【０００７】
また、マルチ画面を構成する場合は、各背面投射型映像表示装置に調整専用のスクリーンユニットを装着する必要があり、コストが増大する。
【０００８】
さらに、マルチ画面を構成する場合は、複数の背面投射型映像表示装置を積み重ねるため、保守作業を行う際にスクリーンユニットの開閉が容易にできるよう、スクリーンユニット間に適切かつ僅かな隙間を設けなければならない。その際、設置時に、作業者が一台ずつ間隔を測定しながら調整を行う必要があったため、調整時間に時間が掛かっていた。また、作業者によって設置する間隔にばらつきが発生してしまう恐れがある。
【０００９】
本発明は以上のような課題を解決するためになされたものであり、調整専用のスクリーンユニットを用いることなくスクリーン上の映像の歪み調整を行うことが可能で、かつマルチ画面を構成する際のスクリーンユニットの間隔調整が可能な、背面投射型映像表示装置および背面投射型映像表示装置の配置および投射位置の調整方法の提供を目的とする。
【課題を解決するための手段】
【００１０】
本発明に係る背面投射型映像表示装置は、スクリーンの背面に映像を投射する背面投射型映像表示装置であって、スクリーン前面に対して貼り付けられ、剥がすことが可能な保護シートを備え、保護シートは、投射位置調整用パターンを備え、保護シートには、スクリーンの縁の外側に来るように保護シートの各辺に保持された隙間調整用部材が設けられ、隙間調整用部材の厚みは、複数の背面投射型映像表示装置を隣接して配置した場合に、隣り合う背面投射型映像表示装置の間隔を規定する。
【００１１】
本発明に係る背面投射型映像表示装置の配置および投射位置調整方法は、背面投射型映像表示装置の複数を配置して１つの画面を構成し、個々の前記背面投射型映像表示装置の投射位置を調整する背面投射型映像表示装置の配置および投射位置調整方法であって、（ａ）複数の背面投射型映像表示装置のスクリーン前面に対して保護シートを貼り付ける工程と、（ｂ）複数の背面投射型映像表示装置のそれぞれにおいて、スクリーンにテストパターン映像を投射する工程と、（ｃ）複数の背面投射型映像表示装置のそれぞれにおいて、投射位置調整用パターンとテストパターン映像とが合致するように、テストパターン映像の投射位置を調整する工程と、（ｄ）複数の背面投射型映像表示装置のスクリーンを組み合わせて一つの画面を構成するように、複数の背面投射型映像表示装置を配置する工程と、（ｅ）工程（ｃ）および工程（ｄ）の後、複数の背面投射型映像表示装置のそれぞれにおいて、スクリーンから保護シートをはがす工程と、を備え、工程（ｄ）において、隣り合うスクリーンの縁の間において、隙間調整用部材が互いに接するように、複数の背面投射型映像表示装置が配置される。
【発明の効果】
【００１２】
本発明の背面投射型映像表示装置および背面投射型映像表示装置の配置および投射位置調整方法によれば、スクリーンユニットに貼着された保護シートに設けられた投射位置調整用パターンを利用して、投射画像の調整を行うことが可能である。よって、従来必要であった調整専用のスクリーンユニットが不要であるため、コストの削減を図ることができる。
【００１３】
さらに、本発明の背面投射型映像表示装置および背面投射型映像表示装置の配置および投射位置調整方法によれば、背面投射型映像表示装置における画面中心及び画面歪み調整を短時間に精度よく容易に行うことができる。よって、背面投射型映像表示装置の生産性の向上および設置時の作業の短縮化によるコストの削減の効果を得ることができる。また、保護シートはスクリーンを保護する機能も兼ね備えているため、製造工程や製品の搬送におけるスクリーンユニットの破損を防止することが可能となる。
【００１４】
さらに、本発明の背面投射型映像表示装置および背面投射型映像表示装置の配置および投射位置調整方法によれば、背面投射型映像表示装置を複数台設置してマルチ画面を構成する際、専用の冶具などを用いることなく、スクリーンに貼着された保護シートの周囲に保持された隙間調整用部材を用いて、隣接する背面投射型映像表示装置の間隔を決めることができる。隙間調整用部材を用いることで、設置間隔の調整を容易に且つ短時間で正確に行うことができ、作業の短縮化によるコストの削減の効果を得ることができる。
【００１５】
また、本発明の背面投射型映像表示装置および背面投射型映像表示装置の配置および投射位置調整方法によれば、保護シートの周囲に隙間調整用部材を設けることで、特に垂直方向に背面投射型映像表示装置を積み重ねてマルチ画面を構成する際に、下側に配置されたスクリーンの端部が上側に配置されたスクリーンの端部にて圧迫されてスクリーンに歪み、クラック等が生じることを抑制することが可能である。
【図面の簡単な説明】
【００１６】
【図１】本発明の実施形態に係る背面投射型映像表示装置の斜視図である。
【図２】本発明の実施形態に係る背面投射型映像表示装置の断面図である。
【図３】本発明の実施形態に係る背面投射型映像表示装置の断面図である。
【図４】本発明の実施形態に係る背面投射型映像表示装置の正面図である。
【図５】背面投射型映像表示装置の映像投射位置のずれの一例を示す図である。
【図６】本発明の実施形態に係る背面投射型映像表示装置に表示するテストパターン映像の一例を示す図である。
【図７】本発明の実施形態に係る背面投射型映像表示装置を複数組み合わせて大画面を構成した場合の斜視図である。
【発明を実施するための形態】
【００１７】
＜構成＞
図１は、本実施形態における背面投射型映像表示装置５の斜視図である。また、図２は図１の線分ＡＢにおける断面図である。図３は図１の線分ＣＤにおける断面図である。図４は、本実施形態における背面投射型映像表示装置５の正面図である。
【００１８】
図１から図４に示すように、背面投射型映像表示装置５は、スクリーン１を備えるスクリーンユニット２と、ミラー５ｃを介してスクリーン１に映像を投射する投射ユニット５ｂと、スクリーン１前面に貼り付けられた保護シート３と、保護シート３の各辺に取り付けられた隙間調整用部材４とを備える。
【００１９】
図４に示すように、保護シート３には投射位置調整用パターン３ａが付されている。投射位置調整用パターン３ａは、スクリーン１の中心位置を示す中心基準点７および画面歪み調整を行うための格子状の基準線３ｂからなる。格子状の基準線３ｂは、垂直方向及び水平方向に延びる複数の線からなる。
【００２０】
保護シート３は透明なフィルム状のシートであり、伸縮性を有する。保護シート３が伸縮性を有することにより、環境温度の変化によってスクリーン１が伸縮などの形状変化を起こした場合であっても、この形状変化に対応することが可能である。また、保護シート３は、スクリーン１との貼着面側において自己吸着性能を有する。これにより、保護シート３をスクリーン１から剥がした後で再び貼り付けることが可能である。
【００２１】
図３および図４に示すように、隙間調整用部材４は、スクリーン１の縁の外側（即ちスクリーンユニット２の縁の外側）に来るように保護シート３の各辺に保持される。隙間調整用部材４の厚みは、複数の背面投射型映像表示装置５を隣接して配置した場合に、隣り合う背面投射型映像表示装置５の間隔を規定する。
【００２２】
隙間調整用部材４は柔軟性のあるプラスチック材料である。隙間調整用部材４は摩擦係数が低い材料である。よって、隣接する背面投射型映像表示装置５を隙間調整用部材４が接するように配置した後、隣接する背面投射型映像表示装置５の位置関係を保ったままで、保護シート３をスクリーン１から容易に剥がすことができる。
【００２３】
さらに、保護シート３は、背面投射型映像表示装置５の製造工程および搬送中においてスクリーン１の表面を保護して、スクリーン１表面に傷等が生じることを防止する機能も備える。
【００２４】
図１から図４に示すように、保護シート３はスクリーン１と同じサイズである。保護シート３はスクリーン１表面を覆うように、スクリーン１の四隅に合わせてスクリーン１に貼着している。また、スクリーンユニット２の縁の外側には、保護シート３の周囲に設けられた隙間調整用部材４が配置される。隙間調整用部材４は、スクリーンユニット２と貼着しているわけではない。従って、作業者が、保護シート３をスクリーン１から剥がす際は、隙間調整用部材４を摘まんでスクリーン１の手前側に引くことにより、保護シート３を容易に取り外すことができる。
【００２５】
＜映像投射位置の調整方法＞
背面投射型映像表示装置５の製造工程において、スクリーン１に保護シート３が貼り付けられる。また、保護シート３の四辺に保持された隙間調整用部材４は、スクリーンユニット２の外郭に沿って配置される。例えば、スクリーンユニットを筐体５ａに取り付ける前に、スクリーン１に保護シート３を貼り付ける。その後、スクリーンユニット２を筐体５ａの前面に嵌装して背面投射型映像表示装置５を完成させる。なお、スクリーンユニット２を筐体５ａに取り付けた後に、スクリーン１に保護シート３を貼り付けてもよい。
【００２６】
背面投射型映像表示装置５の組み立てが完了した後、映像投射位置の調整を行う。図５は、映像投射位置のずれの一例を示す図である。図５に示す例では、投射ユニット５ｂが出力する映像９が、スクリーン１に対して傾いて表示されている。このように、投射ユニット５ｂの光軸のずれ、ミラー５ｃの小さな歪み等によって、スクリーン１上に表示される映像にずれ、歪みが生じる。また、映像のずれが大きいと、映像の一部がスクリーン１外に出て表示されないこともある。
【００２７】
本実施の形態では、工場出荷時又は設置時において、スクリーン１に表示される映像が投射位置調整用パターン３ａと一致するように、背面投射型映像表示装置５内の調整回路にて調整を行う。これにより、表示映像の垂直方向及び水平方向の傾きの調整、中心から周囲部までのリニアリティの調整などを容易に行うことが可能である。
【００２８】
本実施の形態では、例えば図６に示すテストパターン映像８をスクリーン１に投射する。そして、テストパターン映像８が保護シート３に施された投射位置調整用パターン３ａに合致するように、背面投射型映像表示装置５の電気的、機構的な調整を行う。具体的には、テストパターン映像８の中心基準点８ａと、投射位置調整用パターン３ａの中心基準点７を合致させる。また、テストパターン映像８の格子状の基準線８ｂと、投射位置調整用パターン３ａの格子状の基準線３ｂを合致させる。さらに、テストパターン映像８の全てのエッジマーク８ｃがスクリーン１の端に表示されるようにする。なお、これらの調整は電気的に調整するだけでなく、機構的な調整を行っても構わない。
【００２９】
＜背面投射型映像表示装置の配置方法＞
次に、背面投射型映像表示装置５を複数台組み合わせて大画面を構成する際の設置方法について説明する。図７は、縦横２台ずつ、合計４台の背面投射型映像表示装置５を組み合わせて１つの画面を構成した例である。隣接する背面投射型映像表示装置５において、スクリーンユニット２間に適切な隙間を設ける必要がある。この隙間は、メンテナンスの際にスクリーンユニット２を筐体５ａから引き出す（あるいは取り外す）ために必要な空間である。
【００３０】
本実施の形態では、隣接するスクリーンユニット２の間において、隙間調整用部材４が互いに密着するように、隣接する背面投射型映像表示装置５を配置する。つまり、隙間調整用部材４の２枚分の厚みがスクリーンユニット２間の隙間の大きさを規定する。
【００３１】
そして、各背面投射型映像表示装置５の設置が完了し、かつ、各背面投射型映像表示装置５の映像投射位置の調整が完了した後に、スクリーン１から保護シート３を剥がす。この際、隣接する背面投射型映像表示装置５の間において互いに隙間調整用部材４が密着しているが、隙間調整用部材４は摩擦係数の低い材料であるため、作業者は隙間調整用部材４を摘まんで引き出すことができる。隙間調整用部材４を引き出すことで、隙間調整用部材４とつながっている保護シート３がスクリーン１から剥がされる。
【００３２】
＜効果＞
本実施形態における背面投射型映像表示装置５は、スクリーン１の背面に映像を投射する背面投射型映像表示装置５であって、スクリーン１前面に対して貼り付けられ、剥がすことが可能な保護シート３を備え、保護シート３は、投射位置調整用パターン３ａを備え、保護シート３には、スクリーン１の縁の外側に来るように保護シート３の各辺に保持された隙間調整用部材４が設けられ、隙間調整用部材４の厚みは、複数の背面投射型映像表示装置５を隣接して配置した場合に、隣り合う背面投射型映像表示装置５の間隔を規定する。
【００３３】
また、本実施形態における背面投射型映像表示装置の配置および投射位置調整方法は、背面投射型映像表示装置５の複数を配置して１つの画面を構成し、個々の背面投射型映像表示装置５の投射位置を調整する背面投射型映像表示装置の配置および投射位置調整方法であって、（ａ）複数の背面投射型映像表示装置５のスクリーン１前面に対して保護シート３を貼り付ける工程と、（ｂ）複数の背面投射型映像表示装置５のそれぞれにおいて、スクリーン１にテストパターン映像８を投射する工程と、（ｃ）複数の背面投射型映像表示装置５のそれぞれにおいて、投射位置調整用パターン３ａとテストパターン映像８とが合致するように、テストパターン映像８の投射位置を調整する工程と、（ｄ）複数の背面投射型映像表示装置５のスクリーン１を組み合わせて一つの画面を構成するように、複数の背面投射型映像表示装置５を配置する工程と、（ｅ）工程（ｃ）および工程（ｄ）の後、複数の背面投射型映像表示装置５のそれぞれにおいて、スクリーン１から保護シート３をはがす工程と、を備え、工程（ｄ）において、隣り合うスクリーン１の縁の間において、隙間調整用部材４が互いに接するように、複数の背面投射型映像表示装置５が配置される。
【００３４】
従って、本実施形態によれば、スクリーン１に貼着された保護シート３に設けられた投射位置調整用パターン３ａを利用して、投射画像の調整を行うことが可能である。よって、従来必要であった調整専用のスクリーンユニットが不要であるため、コストの削減を図ることができる。
【００３５】
さらに、本実施形態によれば、背面投射型映像表示装置５における画面中心及び画面歪み調整を短時間に精度よく容易に行うことができる。よって、背面投射型映像表示装置５の生産性の向上および設置時の作業の短縮化によるコストの削減の効果を得ることができる。
【００３６】
また、保護シート３はスクリーン１を保護する機能も兼ね備えているため、製造工程や製品の搬送におけるスクリーンユニットの破損を防止することが可能となる。
【００３７】
さらに、背面投射型映像表示装置５を複数台設置してマルチ画面を構成する際、専用の冶具などを用いることなく、スクリーン１に貼着された保護シート３の周囲に保持された隙間調整用部材４を用いて、隣接する背面投射型映像表示装置５の間隔を決めることができる。隙間調整用部材４を用いることで、設置間隔の調整を容易に且つ短時間で正確に行うことができ、作業の短縮化によるコストの削減の効果を得ることができる。
【００３８】
また、保護シート３の周囲に隙間調整用部材４を設けることで、特に垂直方向に背面投射型映像表示装置５を積み重ねてマルチ画面を構成する際に、下側に配置されたスクリーン１の端部が上側に配置されたスクリーン１の端部にて圧迫されてスクリーン１に歪み、クラック等が生じることを抑制することが可能である。
【００３９】
また、本実施形態における背面投射型映像表示装置５において、投射位置調整用パターン３ａは、格子状のパターン（即ち、格子状の基準線３ｂ）を含む。
【００４０】
従って、映像の投射位置を調整する際にテストパターン映像８として格子状の基準線８ｂを表示することにより、スクリーン１に対する映像の歪み、ずれ、傾きなどを容易に調整することが可能となる。
【００４１】
また、本実施形態における背面投射型映像表示装置５において、保護シート３は透明なフィルムであり、保護シート３はスクリーン１の四隅にあわせてスクリーン１に貼り付けられる。
【００４２】
従って、保護シート３は透明なフィルムであるため、映像の投射位置を調整する際にテストパターン映像８を視認することが容易である。
【００４３】
また、本実施形態における背面投射型映像表示装置５において、保護シート３は自己吸着性能を有する。
【００４４】
保護シート３は自己吸着性能を持つため、スクリーン１に対して容易に直脱が可能である。背面投射型映像表示装置５の画面歪みを再調整する場合も保護シート３をスクリーン１に再度貼り付けることにより容易に再調整をすることが可能となる。
【００４５】
また、本実施形態における背面投射型映像表示装置５は、スクリーン１の背面に映像を投射する背面投射型映像表示装置であって、スクリーン１前面に対して貼り付けられ、剥がすことが可能な保護シート３を備え、保護シート３は、投射位置調整用パターン３ａを備える。
【００４６】
従って、本実施形態によれば、スクリーン１に貼着された保護シート３に設けられた投射位置調整用パターン３ａを利用して、投射画像の調整を行うことが可能である。よって、従来必要であった調整専用のスクリーンユニットが不要であるため、コストの削減を図ることができる。
【００４７】
さらに、本実施形態によれば、背面投射型映像表示装置５における画面中心及び画面歪み調整を短時間に精度よく容易に行うことができる。よって、背面投射型映像表示装置５の生産性の向上および設置時の作業の短縮化によるコストの削減の効果を得ることができる。
【００４８】
また、保護シート３はスクリーン１を保護する機能も兼ね備えているため、製造工程や製品の搬送におけるスクリーンユニット２の破損を防止することが可能となる。
【００４９】
また、本実施形態における背面投射型映像表示装置５は、スクリーン１の背面に映像を投射する背面投射型映像表示装置であって、スクリーン１前面に対して貼り付けられ、剥がすことが可能な保護シート３を備え、保護シート３には、スクリーン１の縁の外側に来るように保護シート３の各辺に保持された隙間調整用部材４が設けられ、隙間調整用部材４の厚みは、複数の背面投射型映像表示装置５を隣接して配置した場合に、隣り合う背面投射型映像表示装置の間隔を規定する。
【００５０】
従って、背面投射型映像表示装置５を複数台設置してマルチ画面を構成する際、専用の冶具などを用いることなく、スクリーン１に貼着された保護シート３の周囲に保持された隙間調整用部材４を用いて、隣接する背面投射型映像表示装置５の間隔を決めることができる。隙間調整用部材４を用いることで、設置間隔の調整を容易に且つ短時間で正確に行うことができ、作業の短縮化によるコストの削減の効果を得ることができる。
【００５１】
また、保護シート３の周囲に隙間調整用部材４を設けることで、特に垂直方向に背面投射型映像表示装置５を積み重ねてマルチ画面を構成する際に、下側に配置されたスクリーン１の端部が上側に配置されたスクリーン１の端部にて圧迫されてスクリーン１に歪み、クラック等が生じることを抑制することが可能である。
【００５２】
なお、本発明は、その発明の範囲内において、実施の形態を適宜、変形、省略することが可能である。
【符号の説明】
【００５３】
１  スクリーン、２  スクリーンユニット、３  保護シート、３ａ  調整用パターン、３ｂ  格子状の基準線、４  隙間調整用部材、５  背面投射型映像表示装置、５ａ  筐体、５ｂ  投射ユニット、５ｃ  ミラー、７  中心基準点、８  テストパターン映像、８ａ  中心基準点、８ｂ  格子状の基準線、８ｃ  エッジマーク。
【図２】
2016200681.tif 000003
【図３】
2016200681.tif 000004
【図４】
2016200681.tif 000005
【図５】
2016200681.tif 000006
【図６】
2016200681.tif 000007
【図１】
2016200681.tif 000008
【図７】
2016200681.tif 000009